(57)【要約】【課題】受信装置等の電子装置において、内部の電子回路の駆動時に生成するノイズ信号が外部に漏れ出すことを効果的に抑制する。【解決手段】処理装置２は、アナログ回路ブロック６と、ディジタル回路ブロック７と、これらの構成要素を内蔵し、導電シールド部材として機能する筐体１２と、筐体１２に内蔵され、筐体１２とアナログ回路ブロック６に備わる第１グランド端子６ａと電気的に接続する等の機能を有する接続コネクタ１３とを備える。アナログ回路ブロック６は、ディジタル回路ブロック７と比較して、生成するノイズ信号のレベルが低いため、筐体１２がアナログ回路ブロック６に備わる第１グランド端子６ａと電気的に接続することによって、筐体１２は安定した電位を保持し、導電シールド部材としてより効果的に機能する。【選択図】        図１
2006087523.tif 000002
【特許請求の範囲】
【請求項１】
複数の回路ブロックを備えた電子装置であって、
所定の第１グランド端子を少なくとも備え、該第１グランド端子を介してグランド電位が供給される第１回路ブロックと、
第２グランド端子を少なくとも備え、該第２グランド端子を介してグランド電位が供給されると共に駆動の際に前記第１回路ブロックよりも高レベルのノイズ信号を生じる第２回路ブロックと、
前記第１グランド端子を介してグランド電位が供給される導電シールド部材と、
を備えたことを特徴とする電子装置。
【請求項２】
前記第１回路ブロックは、アナログ処理を行うアナログ回路ブロックであって、前記第２回路ブロックは、ディジタル処理を行うディジタル回路ブロックであることを特徴とする請求項１に記載の電子装置。
【請求項３】
前記導電シールド部材は、前記第１回路ブロックおよび前記第２回路ブロックを内部に包含するよう形成され、
前記導電シールド部材の外部に配置された受信アンテナをさらに備え、
前記第１回路ブロックおよび前記第２回路ブロックは、前記受信アンテナを介して受信された無線信号に対して所定の処理を行うことを特徴とする請求項１または２に記載の電子装置。
【請求項４】
前記導電シールド部材は、前記第１回路ブロックおよび前記第２回路ブロックを内蔵する筐体と一体的に形成されていることを特徴とする請求項１〜３のいずれか一つに記載の電子装置。
【請求項５】
前記筐体は、
内部が中空となるよう形成され、外形を規定するケース部材と、
前記ケース部材の内表面側に、導電性塗料を塗布することによって形成された導電塗装層と、
前記ケース部材の内表面と、前記導電塗装層との間に配置された保護層と、
を備えたことを特徴とする請求項４に記載の電子装置。
【請求項６】
前記第１回路ブロックおよび前記第２回路ブロックは、１以上の基板上に形成され、
前記基板および前記第１回路ブロックおよび前記第２回路ブロックを覆うように配置された絶縁モールド層をさらに備え、
前記導電シールド部材は、前記絶縁モールド層上に形成され、前記第１端子と電気的に接続するよう形成された導電性モールド層によって形成されたことを特徴とする請求項１〜３のいずれか一つに記載の電子装置。
【請求項７】
被検体内に導入され、該被検体内情報を取得して外部に被検体内情報を含む無線信号を送信する被検体内導入装置と、該被検体内導入装置によって送信された前記無線信号を受信する受信装置とを備えた被検体内導入システムであって、
前記受信装置は、
所定の第１グランド端子を少なくとも備えた第１回路ブロックと、
第２グランド端子を少なくとも備え、駆動の際に前記第１回路ブロックよりも高レベルのノイズ信号を生じる第２回路ブロックと、
前記第１グランド端子を介してグランド電位が供給されるシールド部材と、
を備えたことを特徴とする被検体内導入システム。
【請求項８】
前記第１回路ブロックはアナログ的な処理を行い、前記第２回路ブロックはディジタル的な処理を行うことを特徴とする請求項７に記載の被検体内導入システム。
【発明の詳細な説明】
【技術分野】
【０００１】
本発明は、複数の回路ブロックを備えた電子装置および複数の回路ブロックを備えた受信装置を備えた被検体内導入システムに関するものである。
【背景技術】
【０００２】
近年、内視鏡の分野においては、飲込み型のカプセル型内視鏡が提案されている。このカプセル型内視鏡には、撮像機能と無線通信機能とが設けられている。カプセル型内視鏡は、観察（検査）のために被検体の口から飲込まれた後、自然排出されるまでの間、体腔内、例えば胃、小腸などの臓器の内部をその蠕動運動に従って移動し、順次撮像する機能を有する。
【０００３】
体腔内を移動する間、カプセル型内視鏡によって体内で撮像された画像データは、順次無線通信により外部に送信され、外部に設けられた受信装置によって受信され、所定の処理が施された上で保存される。このように受信機構、信号処理機構および記憶機構を備えた受信装置を携帯した状態で使用することにより、被検体は、カプセル型内視鏡を飲み込んだ後、排出されるまでの間に渡って、自由に行動できる。そして、従来のカプセル型内視鏡システムでは、カプセル型内視鏡が排出された後、メモリに蓄積された画像データに基づいて臓器の画像をディスプレイに表示させて医者もしくは看護士による診断が行われることとなる（例えば、特許文献１参照）。
【０００４】
【特許文献１】特開２００３−１９１１１号公報
【発明の開示】
【発明が解決しようとする課題】
【０００５】
しかしながら、従来のカプセル型内視鏡システムは、受信装置においてカプセル型内視鏡からの無線信号を確実に受信することが困難であるという課題を有する。すなわち、従来のカプセル型内視鏡システムでは、無線信号のみならず受信装置内部に備わる電子回路が駆動時に生じる電磁放射に起因したノイズ信号も受信してしまうため、受信する無線信号のＣＮ比（Carrier to Noise ratio）が低下するという課題を有している。
【０００６】
特に、カプセル型内視鏡は、被検体内に導入された状態で無線送信する機能を有することから、人体等に及ぼす影響を低減する観点から無線信号の強度は微弱な値に設定されていると共に、一般的に無線信号は、臓器等の体内組織を通過する際に減衰するという特性を有する。従って、カプセル型内視鏡システムから送信される無線信号は、受信アンテナに到達する時点では微弱なレベルのものとなり、相対的にノイズ信号の影響が増大することとなる。従って、特にカプセル型内視鏡システムに用いる受信装置における電磁放射対策は重要なものとなる。
【０００７】
これに対して、例えば受信装置の外装ケースを、導電性材料を含んで形成することによって電磁放射をシールドさせる構成を採用することが考えられる。具体的には、外装ケースをシールド部材として機能させることによって、内部に包含される電子回路と受信装置外部の空間とを電気的に分離し、電子回路の駆動に伴って発生したノイズ信号を受信装置内部に留め、外装ケースの外部に配置した受信アンテナにノイズ信号が到達することを抑制している。
【０００８】
しかしながら、かかる構成を採用した場合、特にカプセル型内視鏡システムに用いる受信装置では、シールド部材に対してグランド電位を供給する電位供給源の問題がある。すなわち、上記のようにカプセル型内視鏡システムにおいては、受信装置は被検体に携帯された状態で使用されることから、シールド部材に対する電位供給源は、受信装置内部に備える必要がある。しかしながら、大規模な電位供給源を受信装置に内蔵することは受信装置の大型化を招き、特にカプセル型内視鏡システムに使用する受信装置のように携帯可能な構成に用いることは妥当ではない。
【０００９】
本発明は、上記に鑑みてなされたものであって、受信装置等の電子装置において、内部の電子回路の駆動時に生成するノイズ信号が外部に漏れ出すことを効果的に抑制した電子装置を実現することを目的とする。
【課題を解決するための手段】
【００１０】
上述した課題を解決し、目的を達成するために、請求項１にかかる電子装置は、複数の回路ブロックを備えた電子装置であって、所定の第１グランド端子を少なくとも備え、該第１グランド端子を介してグランド電位が供給される第１回路ブロックと、第２グランド端子を少なくとも備え、該第２グランド端子を介してグランド電位が供給されると共に駆動の際に前記第１回路ブロックよりも高レベルのノイズ信号を生じる第２回路ブロックと、前記第１グランド端子を介してグランド電位が供給される導電シールド部材とを備えたことを特徴とする。
【００１１】
この請求項１の発明によれば、生じるノイズ信号のレベルが低い第１回路ブロックに備わる第１グランド端子と電気的に接続されたシールド部材を備えたこととしたため、シールド部材の電位が安定し、第１回路ブロックおよび第２回路ブロックによって生じるノイズ信号を効果的に遮蔽することができる。
【００１２】
また、請求項２にかかる電子装置は、上記の発明において、前記第１回路ブロックは、アナログ処理を行うアナログ回路ブロックであって、前記第２回路ブロックは、ディジタル処理を行うディジタル回路ブロックであることを特徴とする。
【００１３】
また、請求項３にかかる電子装置は、上記の発明において、前記導電シールド部材は、前記第１回路ブロックおよび前記第２回路ブロックを内部に包含するよう形成され、前記導電シールド部材の外部に配置された受信アンテナをさらに備え、前記第１回路ブロックおよび前記第２回路ブロックは、前記受信アンテナを介して受信された無線信号に対して所定の処理を行うことを特徴とする。
【００１４】
また、請求項４にかかる電子装置は、上記の発明において、前記導電シールド部材は、前記第１回路ブロックおよび前記第２回路ブロックを内蔵する筐体と一体的に形成されていることを特徴とする。
【００１５】
また、請求項５にかかる電子装置は、上記の発明において、前記筐体は、内部が中空となるよう形成され、外形を規定するケース部材と、前記ケース部材の内表面側に、導電性塗料を塗布することによって形成された導電塗装層と、前記ケース部材の内表面と、前記導電塗装層との間に配置された保護層とを備えたことを特徴とする。
【００１６】
また、請求項６にかかる電子装置は、上記の発明において、前記第１回路ブロックおよび前記第２回路ブロックは、１以上の基板上に形成され、前記基板および前記第１回路ブロックおよび前記第２回路ブロックを覆うように配置された絶縁モールド層をさらに備え、前記導電シールド部材は、前記絶縁モールド層上に形成され、前記第１端子と電気的に接続するよう形成された導電性モールド層によって形成されたことを特徴とする。
【００１７】
また、請求項７にかかる被検体内導入システムは、被検体内に導入され、該被検体内情報を取得して外部に被検体内情報を含む無線信号を送信する被検体内導入装置と、該被検体内導入装置によって送信された前記無線信号を受信する受信装置とを備えた被検体内導入システムであって、前記受信装置は、所定の第１グランド端子を少なくとも備えた第１回路ブロックと、第２グランド端子を少なくとも備え、駆動の際に前記第１回路ブロックよりも高レベルのノイズ信号を生じる第２回路ブロックと、前記第１グランド端子を介してグランド電位が供給されるシールド部材とを備えたことを特徴とする。
【００１８】
また、請求項８にかかる被検体内導入システムは、上記の発明において、前記第１回路ブロックはアナログ的な処理を行い、前記第２回路ブロックはディジタル的な処理を行うことを特徴とする。
【発明の効果】
【００１９】
本発明にかかる電子装置および被検体内導入システムにおける受信装置は、生じるノイズ信号のレベルが低い第１回路ブロックに備わる第１グランド端子と電気的に接続されたシールド部材を備えた構成としたため、シールド部材の電位が安定し、第１回路ブロックおよび第２回路ブロックによって生じるノイズ信号を効果的に遮蔽することができるという効果を奏する。
【発明を実施するための最良の形態】
【００２０】
以下、この発明を実施するための最良の形態である電子装置および電子装置を用いた被検体内導入システムについて説明する。なお、図面は模式的なものであり、各部分の厚みと幅との関係、それぞれの部分の厚みの比率などは現実のものとは異なることに留意すべきであり、図面の相互間においても互いの寸法の関係や比率が異なる部分が含まれていることはもちろんである。また、以下においては電子装置の例として受信装置について説明を行うが、以下の説明からも明らかなように、受信装置以外の電子装置に対して本発明が適用可能であることは言うまでもない。
【００２１】
（実施の形態１）
まず、実施の形態１にかかる電子装置について説明する。図１は、本実施の形態１にかかる電子装置の全体構成を示す模式図である。図１に示すように、本実施の形態１にかかる電子装置は、無線信号の受信に用いられる受信アンテナ１と、受信アンテナ１によって受信された無線信号に対して所定の受信処理を行う処理装置２とを備える。
【００２２】
受信アンテナ１は、無線信号の受信に用いられるループアンテナ部３と、ループアンテナ部３を介して受信された信号を筐体１２内部の回路等へ伝送するためのケーブル配線４とを備える。ループアンテナ部３は、例えばフィルム状の母材の表面上に渦巻き状の導電配線を形成した構成を有し、かかる渦巻き部分において無線信号を受信する機能を有する。また、ケーブル配線４は、ループアンテナ部３と処理装置２（厳密には処理装置２に備わる接続コネクタ１３）とを電気的に接続するためのものであって、柔軟性に富んだケーブル等によって構成される。
【００２３】
かかる構成は、後述するように本実施の形態１にかかる電子装置を被検体内導入システムに使用する際に好適なものである。すなわち、被検体内導入システムでは、被検体内に導入されたカプセル型内視鏡から送信された微弱な無線信号を確実に受信するために、アンテナ部分を被検体の体表面上に密着させた構成を採用することが好ましい。そのため、受信アンテナ１において、実質的に無線信号の受信に用いられるループアンテナ部３は、凹凸を有する被検体の体表面上に密着させやすいフィルム状の部材を母材として形成され、また、ループアンテナ部３を体表面上の任意の位置に固定することを可能にするため、ケーブル配線４を柔軟性に富んだ部材で構成することとしている。
【００２４】
処理装置２は、受信アンテナ１、より具体的にはループアンテナ部３を介して受信された無線信号に対して受信処理等を行うためのものである。具体的には、処理装置２は、アナログ的な処理を行うアナログ回路ブロック６と、ディジタル的な処理を行うディジタル回路ブロック７と、アナログ回路ブロック６およびディジタル回路ブロック７とに対して駆動電力を供給するバッテリー８とを備える。また、処理装置２は、アナログ回路ブロック６を支持するアナログ基板９と、ディジタル回路ブロック７およびバッテリー８を支持するディジタル基板１０と、アナログ基板９とディジタル基板１０との間の位置関係を規定すると共にアナログ基板９とディジタル基板１０との間を電気的に接続するためのコネクト部材１１とを備える。さらに、処理装置２は、これらの構成要素を内蔵する筐体１２と、筐体１２に内蔵され、筐体１２とアナログ回路ブロック６に備わる第１グランド端子６ａ（後述）と電気的に接続する等の機能を有する接続コネクタ１３とを備える。
【００２５】
アナログ回路ブロック６は、特許請求の範囲における第１回路ブロックの一例として機能するものである。具体的には、アナログ回路ブロック６は、所定の信号（本実施の形態１では受信アンテナ１を介して受信された無線信号）に対してアナログ的な処理を行うためのものであり、かかる処理を行うために必要な電子回路等によって構成されている。具体的には、アナログ回路ブロック６は、例えば受信した無線信号に対して復調等の処理を行う機能を有し、無線信号に含まれる所定の原信号を抽出する機能等を有する。また、アナログ回路ブロック６は、内部に備わる回路構造に対してグランド電位を供給するための第１グランド端子６ａを備える。第１グランド端子６ａは、それ自体がグランド電位を生成することとしても良いし、他の電位供給源と電気的に接続され、電位供給源にて生成されるグランド電位を内部回路に供給することとしても良い。
【００２６】
また、アナログ回路ブロック６に備わる第１グランド端子６ａは、後述するように導電シールド部材として機能する筐体１２に対してもグランド電位を供給する機能を有する。具体的には、図１にも示すように第１グランド端子６ａは、配線６ｂおよび接続コネクタ１３（後述）を介して筐体１２と電気的に接続した構成を有する。なお、アナログ回路ブロック６は、受信アンテナ１を介して受信された無線信号を入力するための配線６ｃをさらに備えた構成を有し、配線６ｃは、接続コネクタ１３を介して受信アンテナ１に備わるケーブル配線４と電気的に接続する。このようなアナログ回路ブロック６に対する筐体１２およびケーブル配線４の具体的な電気的接続態様については、接続コネクタ１３の説明の際に詳細に解説するため、ここでは説明を省略する。
【００２７】
ディジタル回路ブロック７は、特許請求の範囲における第２回路ブロックの一例として機能するものである。具体的には、ディジタル回路ブロック７は、例えばアナログ回路ブロック６から出力されたアナログ信号をディジタル化し、ディジタル化された信号に対してディジタル的な処理を行う機能を有し、かかる処理を行うために必要な電子回路等によって構成される。例えば、本実施の形態１のように電子装置が受信装置として機能する場合には、ディジタル回路ブロック７は、アナログ回路ブロック６によって抽出された原信号に基づき、例えば画像データを再構成するよう機能する。また、ディジタル回路ブロック７は、アナログ回路ブロック６と同様に、内部の電子回路に対してグランド電位を供給するための第２グランド端子７ａを備えた構成を有する。かかる構成はバッテリー８も同様であり、バッテリー８は、グランド電位を供給するための第３グランド端子を備える。なお、図１において、第１グランド端子６ａ等は、アナログ回路ブロック６等の側面上に配置された態様で示されているが、これは図面作成上の便宜を図る観点からのものであり、具体的な構成においては側面以外に上面等任意の場所に配置することとして良い。このことは他の図面においても同様である。また、本実施の形態において「端子」とは、他の部材と電気的に接続するための部材であって、その構造については、いわゆるパッド状のもの以外のものも含む広い概念である。
【００２８】
アナログ基板９およびディジタル基板１０は、それぞれアナログ回路ブロック６、ディジタル回路ブロック７およびバッテリー８を支持するためのものである。また、アナログ基板９およびディジタル基板１０は、表面上にプリント配線等が形成された構造を有し、コネクト部材１１の作用とあわせて、アナログ回路ブロック６、ディジタル回路ブロック７およびバッテリー８の相互間を電気的に接続する機能を有する。
【００２９】
次に、これらの構成要素を内蔵する筐体１２について説明する。筐体１２は、アナログ回路ブロック６、ディジタル回路ブロック７等を外部からの物理的衝撃等から保護するためのケース部材として機能する他に、特許請求の範囲における導電シールド部材の一例として機能する。
【００３０】
図２は、筐体１２の構造を示す模式的な断面図である。図２に示すように、筐体１２は、樹脂材料等を成型することによって取得されたケース部材１２ａと、ケース部材１２ａの内表面上に形成された保護層１２ｂと、保護層１２ｂの内表面上に導電性塗料を塗布することによって形成された導電塗装層１２ｃとを備えた構成を有する。
【００３１】
ケース部材１２ａは、本来的な筐体としての機能を果たすためのものである。具体的には、ケース部材１２ａは、筐体１２が内蔵するアナログ回路ブロック６等を外部空間と物理的に分離し、外部から印加される衝撃等からアナログ回路ブロック６等を保護する機能を果たす。
【００３２】
導電塗装層１２ｃは、筐体１２を導電シールド部材として機能させるためのものである。具体的には、導電塗装層１２ｃは、ケース部材１２ａの内表面（厳密にはケース部材１２ａの内表面に形成された保護層１２ｂの内表面）の全体に導電性塗料が塗布されることによって形成されており、アナログ回路ブロック６等を外部空間から電気的に遮蔽する機能を有する。なお、以下において筐体１２を導電シールド部材として言及する際には、基本的には筐体１２全体のうち、導電塗装層１２ｃに着目して記述がなされていることとする。
【００３３】
保護層１２ｂは、ケース部材１２ａを導電塗装層１２ｃから保護するためのものである。具体的には、導電塗装層１２ｃを形成する導電性塗料は、一般に所定の溶媒中に金属材料を溶かし込んだ構成を有し、かかる溶媒がケース部材１２ａに対しても作用し、ケース部材１２ａを形成する樹脂材料が腐食等するおそれがある。従って、本実施の形態１では、ケース部材１２ａの腐食等を防止するために導電塗装層１２ｃとケース部材１２ａとの間に保護層１２ｂを介在させた構成を採用し、導電塗装層１２ｃがケース部材１２ａに対して作用することを防止している。保護層１２ｂを構成する材料は任意のものを用いることが可能であるが、上述した保護層１２ｂの機能に鑑みて、導電塗装層１２ｃを構成する導電性塗料に対して反応不活性な材料を用いることが好ましい。
【００３４】
次に、接続コネクタ１３について説明する。接続コネクタ１３は、アナログ回路ブロック６に備わる第１グランド端子６ａと筐体１２とを電気的に接続するためのものであり、具体的には、筐体１２が導電シールド部材として機能する際に、筐体１２に備わる導電塗装層１２ｃに対してグランド電位を供給するためのものである。
【００３５】
図３は、接続コネクタ１３の具体的な構成について示す模式図である。図３に示すように接続コネクタ１３は、筐体１２の内表面（正確には導電塗装層１２ｃの内表面）と物理的に接触するためのものであって、板状の導電性材料によって形成された接触部１３ａと、接触部１３ａの主平面に対して法線方向に延伸し、受信アンテナ１と電気的な接続を行うための同軸ケーブル１３ｂとを備える。同軸ケーブル１３ｂは、中心軸に対して対称な構成を有しており、中心軸上にコネクトケーブル１３ｃを有すると共に、径方向に順次絶縁領域１３ｄ、導電部１３ｅおよび被腹部１３ｆを備えた構成を有する。
【００３６】
コネクトケーブル１３ｃは、受信アンテナ１に備わるケーブル配線４と電気的に接続するためのものであり、受信アンテナ１を介して受信された無線信号をアナログ回路ブロック６に伝送するためのものである。従って、コネクトケーブル１３ｃは、基端側において配線６ｃと電気的に接続された構成を有する。
【００３７】
導電部１３ｅは、ループアンテナ部３に対してグランド電位を供給するためのものである。供給するグランド電位としては任意のものを用いることが可能であるが、本実施の形態１では、導電部１３ｅは、筐体１２と同様に第１グランド端子６ａと電気的に接続した構成を採用している。
【００３８】
絶縁領域１３ｄは、コネクトケーブル１３ｃと導電部１３ｅとを電気的に絶縁するためのものである。具体的には、絶縁領域１３ｄは、例えばプラスチック等の樹脂材料によって形成され、コネクトケーブル１３ｃと導電部１３ｅとの間の領域に配置されることによって、両者を電気的に絶縁する機能を有する。また、被腹部１３ｆは、導電部１３ｅを外部から保護するためのものであり、例えば柔軟性に富んだビニル材料によって形成される。
【００３９】
接触部１３ａは、筐体１２（より正確には導電塗装層１２ｃ）と物理的に接触するよう配置され、導電塗装層１２ｃと電気的に接触するよう配置されることによって、第１グランド端子６ａのグランド電位を導電塗装層１２ｃに供給する機能を有する。かかる機能を実現するため、接触部１３ａは、配線６ｂを介して第１グランド端子６ａと電気的に接続された構成を有する。
【００４０】
また、接触部１３ａは、その主平面が導電塗装層１２ｃと密着するよう筐体１２に対して固定されている。固定態様としては、例えば導電性接着剤を用いることとしても良いし、所定のネジ穴をあらかじめ形成しておき、ネジ止めすることとしても良い。接触部１３ａの主平面を導電塗装層１２ｃの内表面と密着するよう固定することによって、導電塗装層１２ｃとの接触面積を増加させることが可能であり、電気的な接触抵抗を低減することが可能である。
【００４１】
次に、本実施の形態１にかかる電子機器について、内部に備えた回路構造に起因した電磁放射の防止機能について説明する。図４は、かかる機能について説明するための模式図である。図４に示すように、本実施の形態１にかかる電子機器は、アナログ回路ブロック６、ディジタル回路ブロック７およびバッテリー８は、それぞれ電気的に所定のグランド電位を与えられている。一方で、筐体１２に関しては、アナログ回路ブロック６におけるグランド電位が供給されるよう構成され、ほぼ一定のグランド電位が筐体１２に供給されることによって、アナログ回路ブロック６、ディジタル回路ブロック７およびバッテリー８は筐体１２外部の空間に対して電気的に遮蔽され、ディジタル回路ブロック７等によって生じたノイズ信号が外部に伝搬することを防止している。
【００４２】
また、本実施の形態１においては、上述したように、筐体１２は、アナログ回路ブロック６に備わる第１グランド端子６ａと電気的に接続されている。そのため、筐体１２のグランド電位は、第１グランド端子６ａの電位と一致しており、アナログ回路ブロック６におけるグランド電位と一致することとなる。上述のように、本実施の形態１において、アナログ回路ブロック６において生じるノイズ信号は、ディジタル回路ブロック７において生じるノイズ信号よりも強度が低くなるよう構成されている。このため、本実施の形態１にかかる電子装置では、ディジタル回路ブロック７に備わる第２グランド端子７ａと筐体１２とを電気的に接続した場合と比較して、ノイズ信号に起因したグランド電位の変動幅が低減されている。
【００４３】
次に、本実施の形態１にかかる電子装置の利点について説明する。まず、本実施の形態１にかかる電子装置は、簡易な構成によって効果的に内部に備わる電子回路に起因したノイズ信号が外部に漏れ出すことを防止することが可能である。
【００４４】
上述したように、本実施の形態１にかかる電子装置は、導電シールド部材として機能する筐体１２のグランド電位がアナログ回路ブロック６のグランド電位と等しい値となるよう構成されている。そして、アナログ回路ブロック６は、ディジタル回路ブロック７と比較して駆動に伴って生じるノイズ信号のレベルが低いことから、第１グランド端子６ａにおける電位変動幅も低いこととなる。従って、筐体１２の電位は、ディジタル回路ブロック７と電気的に接続した場合と比較して、変動幅を低減されることとなる。一般に、導電シールド部材は電位が安定していることがその機能を発揮する上で好ましいことから、本実施の形態１にかかる電子装置は、筐体１２の電位の変動幅が低減されることによって、ディジタル回路ブロック７等によって生じるノイズ信号が処理装置２の外部に漏れ出すことをより効果的に抑制することができる。
【００４５】
また、本実施の形態１にかかる電子装置は、導電シールド部材として機能する筐体１２のグランド電位供給源を別個独立に形成するのではなく、アナログ回路ブロック６に備わる第１グランド端子６ａを介してグランド電位が供給される構成を採用している。従って、電磁放射対策を行うにあたって定電圧源等をさらに備える必要が無く、ノイズ信号が外部に漏れ出すことを抑制した電子装置を簡易に実現することができるという利点を有する。
【００４６】
（変形例１）
次に、実施の形態１にかかる電子装置の変形例１について説明する。図５は、本変形例１にかかる電子装置の構成の一部を示す模式図である。図５に示すように、筐体１２の内部に配置されたアナログ基板９上には、アナログ回路ブロック６に備わる第１グランド端子６ａ（図５において図示省略）と電気的に接続された端子１５が配置されている。
【００４７】
そして、端子１５と筐体１２との間を、ハーネス１６を介して電気的に接続することによって、アナログ回路ブロック６のグランド電位を筐体１２に供給する構成を採用している。具体的には、端子１５および筐体１２には所定のネジ穴があらかじめ形成されており、かかるネジ穴にあわせてハーネス１６の両端を配置し、ネジ１７、１８によってネジ止め固定することによって、端子１５および筐体１２とハーネス１６とを電気的に接続している。
【００４８】
かかる構成を採用することによっても、上記した実施の形態１にかかる電子装置の利点を享受することが可能である。また、図５に示す構成以外であっても、アナログ回路ブロック６のグランド電位を筐体１２に対して供給可能な構成であれば、任意な構成を用いて電子装置を実現することが可能である。
【００４９】
（変形例２）
次に、実施の形態１にかかる電子装置の変形例２について説明する。図６は、本変形例２にかかる電子装置の構成を示す模式図である。図６に示すように、本変形例２にかかる電子装置は、処理装置１９において筐体２０内に回路基板２１が配置され、回路基板２１上にアナログ回路ブロック６、ディジタル回路ブロック７およびバッテリー８が配置された構成を有する。また、変形例２にかかる電子装置は、回路基板２１および回路基板２１上に配置されたアナログ回路ブロック６等を内部に包含するよう絶縁モールド層２２が形成され、絶縁モールド層２２を内部に包含するよう導電性モールド層２３が形成された構成を有する。
【００５０】
ここで、絶縁モールド層２２は、回路基板２１および回路基板２１上に配置されたアナログ回路ブロック６等のすべてを包含するのではなく、アナログ回路ブロック６のうち、第１グランド端子６ａおよび配線６ｃの形成領域に対応して開口領域が形成されている。また、導電性モールド層２３は、配線６ｃと電気的に接触することがないよう所定の開口領域が形成される一方、第１グランド端子６ａの形成領域に関しては、開口領域を形成することはなく、第１グランド端子６ａと電気的に接触するよう構成されている。
【００５１】
すなわち、導電性モールド層２３は、第１グランド端子６ａと電気的に接続しつつ回路基板２１および回路基板２１上に形成されたディジタル回路ブロック７等を内部に包含するよう構成されている。かかる構成は、実施の形態１における筐体１２と電気的には等価なものであって、本変形例２における導電性モールド層２３は、特許請求の範囲における導電シールド部材の他の例として機能するものである。このように、特許請求の範囲における導電シールド部材としては、実施の形態１における筐体１２以外の構成を採用することが可能であり、図６に示す例以外のものであっても、導電性材料によって形成され、アナログ回路ブロック６に備わる第１グランド端子６ａと電気的に接続されたものであれば、導電シールド部材として機能することが可能である。
【００５２】
なお、本変形例２において導電性モールド層２３が導電シールド部材として機能することに対応して、筐体２０は、例えばケース部材１２ａのみによって形成することとして良い。また、接続コネクタ２４に関しても、第１グランド端子６ａと筐体２０とを電気的に接続する必要が無くなることから、配線６ｃを受信アンテナ１と電気的に接続する構成のみを有すれば充分である。
【００５３】
（変形例３）
次に、実施の形態１にかかる電子装置の変形例３について説明する。本変形例３にかかる電子装置は、内部に備わるアナログ回路ブロック６等の駆動状態等を制御するために、筐体上にボタンが配置された構成に関するものである。具体的には、かかるボタンを機能させるためにはボタン穴を形成する必要があり、筐体が導電シールド部材として機能する場合には、ボタン穴を介してノイズ信号が外部に漏れ出すことを防止する必要がある。本変形例３にかかる電子装置は、筐体上にボタンを配置した場合であっても、筐体が導電シールド部材として充分に機能する構成を実現している。
【００５４】
図７は、本変形例３にかかる電子装置において、ボタン周辺の構造について示す模式的な断面図である。図７に示すように、本変形例３では、実施の形態１と同様に導電シールド部材として機能する筐体２７にはボタン２８を挿入するための開口部２９が形成されている。かかる開口部２９が形成された領域に対応して、筐体２７の内部にはスイッチ基板３０が配置され、スイッチ基板３０上にはセンサ部３１が配置されている。ここで、センサ部３１は、接触センサとして機能することとし、具体的には、センサ部３１の上面に何らかの部材が接触することによってオン・オフ等の信号を生成し、スイッチ基板３０に形成された配線構造を通じてアナログ回路ブロック６等に対して信号を出力する機能を有する。
【００５５】
そして、筐体２７の下部であって、ボタン２８の基端側とセンサ部３１の上面との間には、支持部材３２によって支持され、開口部２９を覆うように導電性ゴムシート３３が配置されている。なお、本変形例３において、導電性ゴムシート３３は、支持部材３２の外表面と筐体２７の内表面との間で挟み込まれることによって固定されており、導電性ゴムシート３３の周縁部は、筐体２７から離れることがないこととする。また、導電性ゴムシート３３は、導電性を有し、かつ印加される外力によって容易に形状が変形すると共に所定の弾性を備えたシート状の部材によって形成されている。
【００５６】
本変形例３では、かかる導電性ゴムシート３３を備えることによって、筐体２７に開口部が形成された場合であっても、導電シールド部材として機能することを可能としている。すなわち、導電性ゴムシート３３は、その周縁部において筐体２７と密着した状態で固定されており、開口部２９が形成されているにもかかわらず、筐体２７外部の領域に対して、筐体２７内部の領域を完全に遮蔽することが可能である。すなわち、筐体２７内部に配置されたディジタル回路ブロック７等によって生じ、開口部２９に向かって伝搬するノイズ信号は、筐体２７と電気的に接続することによってグランド電位に維持された導電性ゴムシート３３によって遮蔽されることにより、筐体２７の外部に漏れ出すことを防止することが可能である。
【００５７】
また、導電性ゴムシート３３が配置されることによってボタン２８の機能が阻害されることはない。すなわち、導電性ゴムシート３３は、ボタン２８の押圧力に応じて容易に形状が変化する材料によって形成されることから、使用者がボタン２８を押圧した際には、押圧力に応じて導電性ゴムシート３３の形状が変化し、下面がセンサ部３１の上面と接触することとなる。センサ部３１は、上面に何らかの部材が接触することによって動作することから、かかる一連の動作によって所定の信号が生成されることとなり、導電性ゴムシート３３を新たに設けたにもかかわらず、ボタン２８はその機能を失うことはない。
【００５８】
（変形例４）
次に、実施の形態１にかかる電子装置の変形例４について説明する。本変形例４にかかる電子装置は、実施の形態１における構成に加え、アナログ基板９とディジタル基板１０との間に新たに導電性シールド基板を配置した構成を有する。
【００５９】
図８は、本変形例４にかかる電子装置の構成を示す模式図である。図８に示すように、本変形例４にかかる電子装置は、アナログ基板９とディジタル基板１０との間、より具体的にはディジタル回路ブロック７とアナログ回路ブロック６との間に導電性シールド基板３５が配置されている。かかる導電性シールド基板３５は、アナログ基板９上に配置された支持部材３６によってアナログ基板９に対して固定されると共に、配線３７を介してバッテリー８に備わる第３グランド端子８ａと電気的に接続されている。
【００６０】
導電性シールド基板３５は、導電性材料によって形成された基板であって、ディジタル回路ブロック７によって生じたノイズ信号がアナログ回路ブロック６に到達することを抑制する導電シールド部材として機能するものである。具体的には、導電性シールド基板３５は、配線３７を介して第３グランド端子８ａと電気的に接続されることによって、第３グランド端子８ａによって与えられるグランド電位と等しい電位に維持されている。従って、ディジタル回路ブロック７によって生じたノイズ信号は、導電性シールド基板３５によって遮蔽され、アナログ回路ブロック６の動作に悪影響を及ぼすことを抑制することが可能である。
【００６１】
なお、本変形例４において、導電性シールド基板３５を第２グランド端子７ａまたは第１グランド端子６ａと電気的に接続することとしても良い。しかしながら、第２グランド端子７ａは、ディジタル回路ブロック７において生じるノイズ信号の影響を受けて電位が変動することから、導電性シールド基板３５を第２グランド端子７ａと電気的に接続した場合には、導電性シールド基板３５の遮蔽機能が低下する可能性がある。また、導電性シールド基板３５を第１グランド端子６ａと電気的に接続した場合には、導電性シールド基板３５に対してノイズ信号が入射することにより、第１グランド端子６ａの電位変動幅が増大するおそれがある。従って、最良の形態としては、導電性シールド基板３５は、第１グランド端子６ａおよび第２グランド端子７ａ以外のグランド端子、例えば第３グランド端子８ａと電気的に接続することが好ましい。
【００６２】
（実施の形態２）
次に、実施の形態２にかかる被検体内導入システムについて説明する。本実施の形態２にかかる被検体内導入システムは、実施の形態１（または変形例１〜変形例４のいずれか）にかかる電子装置を受信装置として使用した構成を有する。
【００６３】
図９は、本実施の形態２にかかる被検体内導入システムの全体構成を示す模式図である。図９に示すように、本実施の形態２にかかる被検体内導入システムは、被検体４０の内部に導入されて所定の通過経路に沿って移動するカプセル型内視鏡４１と、カプセル型内視鏡４１から送信された、被検体内情報を含む無線信号を受信する電子装置４２と、電子装置４２によって受信された無線信号に含まれる被検体内情報の内容を表示する表示装置４３と、電子装置４２と表示装置４３との間の情報の受け渡しを行うための携帯型記録媒体４４とを備える。
【００６４】
カプセル型内視鏡４１は、被検体４０内に導入されて被検体４０内部の画像を取得するためのものである。具体的には、カプセル型内視鏡４１は、被検体４０内に導入が容易な小型カプセル状の外形を有すると共に、内部に被検体内画像を撮像する撮像機構と、撮像機構によって取得された画像データを含む無線信号を送信する無線送信機構とを備えた構成を有する。
【００６５】
携帯型記録媒体４４は、特許請求の範囲における外部装置の一例として機能するものである。具体的には、携帯型記録媒体４４は、電子装置４２および表示装置４３に対して着脱可能であって、両者に対する装着時に情報の出力および記録が可能な構造を有する。すなわち、携帯型記録媒体４４は、カプセル型内視鏡４１が被検体４０の体腔内を移動している間は電子装置４２に装着されて被検体内画像を記憶する。そして、カプセル型内視鏡４１が被検体４０から排出された後に、電子装置４２から取り出されて表示装置４３に装着され、記録したデータが表示装置４３によって読み出される構成を有する。電子装置４２と表示装置４３との間のデータの受け渡しをコンパクトフラッシュ（登録商標）メモリ等の携帯型記録媒体４４によって行うことで、電子装置４２と表示装置４３との間が有線接続された場合と異なり、カプセル型内視鏡４１が被検体４０内部を移動中であっても、被検体４０が自由に行動することが可能となる。
以上、本発明に関して実施の形態１および実施の形態２を用いて説明したが、本発明は上記の実施の形態に限定して解釈する必要はなく、当業者であれば様々な実施例、変形例等に想到することが可能である。例えば、実施の形態１、２においては、アナログ回路ブロック６、ディジタル回路ブロック７における第１グランド端子６ａ、第２グランド端子７ａは、それぞれ別個独立にグランド電位が供給される構成としたが、例えば、第１グランド端子６ａと第２グランド端子７ａとの間を所定の高インピーダンス部材を介して電気的に接続した上で、同一のグランド電位供給源と接続することとしても良い。かかる場合には、第１グランド端子６ａと第２グランド端子７ａとの間は電気的に接続されることとなるが、介在する高インピーダンス部材の特性に起因し、それぞれ異なるノイズレベルを有することとなるため、本発明を適用することによって上述した利点を享受することが可能である。
【図面の簡単な説明】
【００６６】
【図１】実施の形態１にかかる電子装置の構成を示す模式図である。
【図２】電子装置に備わる筐体の具体的な構成を示す模式図である。
【図３】筐体に内蔵される接続コネクタの具体的な構成を示す模式図である。
【図４】筐体の導電シールド部材としての機能を説明するための模式図である。
【図５】実施の形態１の変形例１について示す模式図である。
【図６】実施の形態１の変形例２について示す模式図である。
【図７】実施の形態１の変形例３について示す模式図である。
【図８】実施の形態１の変形例４について示す模式図である。
【図９】実施の形態２にかかる被検体内導入システムの全体構成を示す模式図である。
【符号の説明】
【００６７】
１  受信アンテナ
２  処理装置
３  ループアンテナ部
４  ケーブル配線
６  アナログ回路ブロック
６ａ  第１グランド端子
６ｂ、６ｃ  配線
７  ディジタル回路ブロック
７ａ  第２グランド端子
８  バッテリー
８ａ  第３グランド端子
９  アナログ基板
１０  ディジタル基板
１１  コネクト部材
１２  筐体
１２ａ  ケース部材
１２ｂ  保護層
１２ｃ  導電塗装層
１３  接続コネクタ
１３ａ  接触部
１３ｂ  同軸ケーブル
１３ｃ  コネクトケーブル
１３ｄ  絶縁領域
１３ｅ  導電部
１３ｆ  被腹部
１５  端子
１６  ハーネス
１７、１８  ネジ
１９  処理装置
２０  筐体
２１  回路基板
２２  絶縁モールド層
２３  導電性モールド層
２４  接続コネクタ
２７  筐体
２８  ボタン
２９  開口部
３０  スイッチ基板
３１  センサ部
３２  支持部材
３３  導電性ゴムシート
３５  導電性シールド基板
３６  支持部材
３７  配線
４０  被検体
４１  カプセル型内視鏡
４２  電子装置
４３  表示装置
４４  携帯型記録媒体
【図１】
2006087523.tif 000003
【図２】
2006087523.tif 000004
【図３】
2006087523.tif 000005
【図４】
2006087523.tif 000006
【図５】
2006087523.tif 000007
【図６】
2006087523.tif 000008
【図７】
2006087523.tif 000009
【図８】
2006087523.tif 000010
【図９】
2006087523.tif 000011